(57)【特許請求の範囲】
【請求項１】
電気機器を保持する保持装置であって、
金属の板材が剪断されることにより形成され、前記保持装置に支持される保持子に取着され、前記電気機器に設けられる接点に接触可能な接点金具と、
前記保持装置を支点として前記接点金具を前記接点に向けて付勢する付勢手段と、
前記保持子に設けられ、前記接点金具を挟んで保持する突条部と
を備える小型電気機器の保持装置。
【請求項２】
前記突条部の高さは前記接点金具の剪断端縁を覆うことが可能な高さである
請求項１に記載の小型電気機器の保持装置。
【請求項３】
前記保持子の基端部が前記保持装置に対して回動可能に支持され、前記接点金具に対する前記接点の押圧作用点と前記保持子の回動支点との間に前記付勢手段の押圧作用点が位置する
請求項１または２に記載の小型電気機器の保持装置。
【請求項４】
前記接点金具に接続される接続コードを前記保持子の回動支点の近傍に案内する案内片が前記保持子に設けられる
請求項１〜３のいずれか一項に記載の小型電気機器の保持装置。
【請求項５】
前記接続コードを接続する端子部が前記接点金具に設けられ、前記端子部が前記接点金具の下縁より上方に位置する
請求項４に記載の小型電気機器の保持装置。
【請求項６】
前記接続コードの中間部を移動不能に保持するコード保持部が前記保持装置に設けられる
請求項４に記載の小型電気機器の保持装置。
【発明の詳細な説明】
【技術分野】
【０００１】
この発明は、電気かみそり等の小型電気機器の保持装置に関するものである。
【背景技術】
【０００２】
この種の保持装置は、例えば電気かみそりを保持するものであって、洗浄機能と充電機能とを兼ね備えた洗浄充電器が存在する。電気かみそりと洗浄充電器には、当該電気かみそりを洗浄充電器に保持したとき両者を電気的に接続して、洗浄充電器により電気かみそりの洗浄動作及び充電動作を制御するようになっている。
【０００３】
上記のような洗浄充電器では、電気かみそりと電気的に接続するための接点装置が設けられる。その接点装置は、特許文献１に開示されるように、接点部分の接触抵抗を安定して小さくするために、弾性を有する金属で接点部材を形成するとともに、その接点部材に貴金属めっきを施している。
【先行技術文献】
【特許文献】
【０００４】
【特許文献１】特開２００８−１８１２８号公報
【特許文献２】特許４０３６１０２号公報
【発明の概要】
【発明が解決しようとする課題】
【０００５】
特許文献１に開示された接点装置では、接点部材の弾性を確保するための弾性脚部を含めて、接点部材全体に貴金属めっきを施しているため、部品コストが上昇する。
特許文献２に開示された接点装置においても、接点部材に貴金属めっきを施すと、山形状の接点部分全体に貴金属めっきが施されるため、部品コストが上昇する。
【０００６】
そこで、接点部材の接点部分にのみ貴金属めっきを施すと、めっき面積を縮小することはできるが、めっき位置を正確に位置決めしながら部分的にめっきを施すめっき装置が大掛かりとなるため、小ロット生産部品では部品コストを低減することはできない。
【０００７】
この発明の目的は、電気的に安定した接点性能を得ることができるとともに、部品コストを低減し得る小型電気機器の保持装置を提供することにある。
【課題を解決するための手段】
【０００８】
本発明に従う小型電気機器の保持装置の一形態は、電気機器を保持する保持装置であって、金属の板材が剪断されることにより形成され、前記保持装置に支持される保持子に取着され、前記電気機器に設けられる接点に接触可能な接点金具と、前記保持装置を支点として前記接点金具を前記接点に向けて付勢する付勢手段と、前記保持子に設けられ、前記接点金具を挟んで保持する突条部とを備える。
【発明の効果】
【００１３】
本発明によれば、電気的に安定した接点性能を得ることができるとともに、部品コストを低減し得る小型電気機器の保持装置を提供することができる。
【図面の簡単な説明】
【００１４】
【図１】洗浄充電器を示す断面図である。
【図２】電気かみそりを示す背面図である。
【図３】洗浄充電器を示す正面図である。
【図４】接点装置を示す分解斜視図である。
【図５】接点装置の主要部を示す分解斜視図である。
【図６】接点装置を示す断面図である。
【図７】接点金具及び保持子を示す断面図である。
【図８】接点金具及び保持子を示す側面図である。
【図９】図８におけるＡ−Ａ線断面図である。
【図１０】接点装置を示す断面図である。
【図１１】接続コードの取り回しを示す側面図である。
【発明を実施するための形態】
【００１５】
（小型電気機器の保持装置が取り得る形態の一例）
〔１〕本発明に従う小型電気機器の保持装置の一形態は、電気機器を保持する保持装置であって、金属の板材が剪断されることにより形成され、前記保持装置に支持される保持子に取着され、前記電気機器に設けられる接点に接触可能な接点金具と、前記保持装置を支点として前記接点金具を前記接点に向けて付勢する付勢手段と、前記保持子に設けられ、前記接点金具を挟んで保持する突条部とを備える。
〔２〕前記小型電気機器の保持装置の一例によれば、前記突条部の高さは前記接点金具の剪断端縁を覆うことか可能な高さである。
〔３〕前記小型電気機器の保持装置の一例によれば、前記保持子の基端部が前記保持装置に対して回動可能に支持され、前記接点金具に対する前記接点の押圧作用点と前記保持子の回動支点との間に前記付勢手段の押圧作用点が位置する。
〔４〕前記小型電気機器の保持装置の一例によれば、前記接点金具に接続される接続コードを前記保持子の回動支点の近傍に案内する案内片が前記保持子に設けられる。
〔５〕前記小型電気機器の保持装置の一例によれば、前記接続コードを接続する端子部が前記接点金具に設けられ、前記端子部が前記接点金具の下縁より上方に位置する。
〔６〕前記小型電気機器の保持装置の一例によれば、前記接続コードの中間部を移動不能に保持するコード保持部が前記保持装置に設けられる。
【００１６】
（実施形態）
以下、本発明に従う小型電気機器の保持装置の一実施形態を図面に従って説明する。なお、本発明は電気かみそり以外の種々の小型電気機器の洗浄装置および充電装置等の保持装置として使用できる。
図１に示す洗浄充電器（保持装置）は、本体１に受け皿状の保持部２が形成されるとともに、本体１内にフィルター装置を備えた洗浄剤容器３、洗浄水貯留部４、ポンプ５等が設けられる。そして、電気かみそり６を保持部２に装着して、前記保持部２と洗浄剤容器３及び洗浄水貯留部４との間で循環する洗浄水で電気かみそり６を洗浄し、かつ充電を行うものである。
図２に示すように、電気かみそり６のグリップ７の背面には、３つの接点８ａ〜８ｃが形成されている。接点８ａ〜８ｃは、図１０に示すように、丸棒状の接点軸９の先端が半球状に形成され、その半球状部がグリップ７の表面から突出されるように形成されている。そして、接点軸９の基端部は電気かみそり６に内蔵される制御部に電気的に接続されている。なお、図１０においては接点軸９のみを図示し、グリップ７は図示していない。
【００１７】
図３に示すように、前記本体１の保持部２の後面側すなわち前記接点８ａ〜８ｃに対向する基台部１０には接点装置１１の３つの接点金具１２ａ〜１２ｃが露出されている。
この接点装置１１は、前記電気かみそり６が保持部２に装着されて前記接点８ａ〜８ｃが接点金具１２ａ〜１２ｃに当接したとき、電気かみそり６が装着されたことを検出し、洗浄充電器に内蔵される制御部により、電気かみそり６の洗浄と充電とを制御する信号を電気かみそり６に送信する接点として作用する。
【００１８】
次に、前記接点装置１１の具体的構成を説明する。図４及び図５に示すように、前記基台部１０には押付基台１４が取着され、その押付基台１４に３つの保持子１５が支持されるとともに、その保持子１５に前記接点金具１２ａ〜１２ｃがそれぞれ取着される。
【００１９】
図５に示すように、前記接点金具１２ａ〜１２ｃは導電性を備えた金属の板材を半円弧状に屈曲した接点部１６を備えている。前記接点部１６は、球体を正面方向から帯状に切り取った形状となっている。
【００２０】
前記接点金具１２ａ〜１２ｃの上端部には、前記接点部１６の凸曲面側に屈曲された返し部１７が形成されている。また、接点金具１２ａ〜１２ｃの下端部には、前記接点部１６の凹曲面側に屈曲された端子部１８が形成されている。そして、各接点金具１２ａ〜１２ｃはその表面に金等の貴金属めっきが施されている。
【００２１】
また、前記端子部１８は接点金具１２ａ〜１２ｃの下端縁より上方に位置するように屈曲されている。
各接点金具１２ａ〜１２ｃの端子部１８にはそれぞれ接続コード１９ａ〜１９ｃの一端が半田付けされている。各接続コード１９ａ〜１９ｃの他端は、前記本体１内に配設される制御部に接続される。
【００２２】
前記保持子１５は合成樹脂で成形されるとともに、その上部には前記接点金具１２ａ〜１２ｃの接点部１６と同様な半円弧面を備えた嵌合部２０が形成されている。前記嵌合部２０の半円弧面の両側には突条部２１が形成されている。
【００２３】
この突条部２１は、図９に示すように、半円弧面からほぼ前記接点金具１２ａ〜１２ｃの板厚程度垂直に立ち上がり、さらに嵌合部２０の側面に円弧状に連なる断面形状を備えている。
【００２４】
前記嵌合部２０の上端には前記接点金具１２ａ〜１２ｃの返し部１７に係合する引掛部２２ａが形成されている。また、前記保持子１５は、前記嵌合部２０の下方で、嵌合部２０の幅方向に二股状となる二股部２３が形成され、その二股部２３の上端部には互いに近づく方向に突出する引掛部２２ｂが形成されている。
【００２５】
そして、接点金具１２ａ〜１２ｃをその接点部１６が保持子１５の嵌合部２０に沿うように嵌合し、かつ返し部１７と接点部１６の下方部分を前記引掛部２２ａ，２２ｂに係合させると、図７に示すように、接点金具１２ａ〜１２ｃが保持子１５に取着される。
【００２６】
図５、図７及び図９に示すように、前記二股部２３にはその一方から他方に向かって二股部２３間の中間位置まで突出する３段の案内片２４が形成されている。上段及び下段の案内片２４は二股部２３の前部に位置し、中間段の案内片２４は二股部２３の後部に位置している。
【００２７】
そして、前記接点金具１２ａ〜１２ｃの端子部１８に半田付けされた接続コード１９ａ〜１９ｃは、案内片２４で二股部２３に沿って下方へ案内される。
前記二股部２３の下端部外側面には、図８及び図９に示すように、支軸２５がそれぞれ突出形成され、その支軸２５で二股部２３の下端を前記押付基台１４に形成された軸受部３１に回動可能に保持するようになっている。
【００２８】
図５及び図６に示すように、前記保持子１５の嵌合部２０の背面には後方に向かって突出する当接片２６が形成され、その当接片２６に当接する付勢部材２７が前記押付基台１４に前後方向に移動可能に支持されている。
【００２９】
前記付勢部材２７と前記押付基台１４との間には、コイルスプリング２８が配設され、押付基台１４を支点とするコイルスプリング２８の付勢力により保持子１５の上端部を前記基台部１０に向かって押圧するようになっている。
【００３０】
前記基台部１０には前記接点金具１２ａ〜１２ｃの接点部１６を保持部２に露出させるための開口部２９が３箇所設けられ、常にはその開口部２９から各接点金具１２ａ〜１２ｃの接点部１６の頂部が露出される。
【００３１】
前記基台部１０の背面には本体検知板３０が配設され、電気かみそり６が保持部２に装着されないとき、すなわち前記接点部１６が開口部２９から保持部２に露出されているとき、接点金具１２ａ，１２ｂの返し部１７が当接するようになっている。また、本体検知板３０は、接続コード（図示しない）により制御部に接続されている。
【００３２】
そして、接点金具１２ａ，１２ｂの返し部１７が本体検知板３０に当接していると、制御部では電気かみそり６が未装着であることを検出するようになっている。
また、保持部２に電気かみそり６が装着されて、接点８ａ〜８ｃが各接点金具１２ａ〜１２ｃの接点部１６を押圧すると、保持子１５の上端部が押し込まれ、接点金具１２ａ，１２ｂの返し部１７が本体検知板３０から離間する。すると、制御部では電気かみそり６が装着されたことを検出するようになっている。
【００３３】
前記接点８ａ〜８ｃが接点金具１２ａ〜１２ｃを押圧するとき、保持子１５には次に示す力が作用する。すなわち、図１０に示すように、接点８ａ〜８ｃから接点金具１２ａ〜１２ｃに作用する力をＦ１とし、付勢部材２７から保持子１５の当接片２６に作用する力をＦ２とすると、保持子１５の支軸２５に回転力として作用する分力はそれぞれｄ１，ｄ２となる。
【００３４】
そして、支軸２５に対し分力ｄ１が作用するレバー長をＡとし、支軸２５に対し分力ｄ２が作用するレバー長をＢとすると、レバー長Ａがレバー長Ｂより長くなる。この結果、分力ｄ１，ｄ２の作用により、支軸２５には基台部１０方向、すなわち図１０に示す矢印Ｃ方向への反力が作用する。
【００３５】
このことから、支軸２５を支持するために押付基台１４に設けられる軸受部３１は、支軸２５の図５に示す矢印Ｃ方向への移動を阻止すればよく、矢印Ｃ方向とは反対方向には開口された形状となっている。
【００３６】
前記基台部１０には、前記本体検知板３０の上方位置に磁石３２とヨーク３３が設けられ、ヨーク３３により集中された磁石３２の磁力で保持部２に装着された電気かみそり６内の金属板３４（図１参照）を吸着することにより、電気かみそり６を保持部２に安定して保持可能となっている。
【００３７】
図１１に示すように、前記接続コード１９ａ〜１９ｃは、その中間部が前記保持部２の裏面に形成されたリブ３５にそれぞれ保持されるとともに、前記保持子１５とリブ３５との間と、リブ３５と接続コード１９ａ〜１９ｃの他の固定部との間で接続コード１９ａ〜１９ｃに弛みを持たせた状態で保持されている。
【００３８】
次に、上記のように構成された接点装置の作用を説明する。
電気かみそり６を保持部２に装着しない状態では、コイルスプリング２８の付勢力により接点金具１２ａ〜１２ｃの接点部１６の頂部は開口部２９から保持部２に露出している。この状態では、接点金具１２ａ，１２ｂの返し部１７が本体検知板３０に当接して、電気かみそり６が装着されていないことが検出される。
【００３９】
電気かみそり６が保持部２に装着されると、電気かみそり６の接点８ａ〜８ｃが接点金具１２ａ〜１２ｃの頂部を押圧する。すると、各保持子１５がその下端部を支点として回動して接点金具１２ａ，１２ｂの返し部１７が本体検知板３０から離間する。
【００４０】
この状態では、電気かみそり６の装着が検出されるとともに、接点金具１２ａ〜１２ｃと電気かみそり６の接点８ａ〜８ｃの接触により制御部と電気かみそり６とが電気的に接続され、電気かみそり６の洗浄動作あるいは充電動作が行われる。
【００４１】
上記のような接点装置１１では、次に示す効果を得ることができる。
（１）合成樹脂で成形した保持子１５に接点金具１２ａ〜１２ｃを取着し、保持子１５をコイルスプリング２８で付勢するので、接点金具１２ａ〜１２ｃに弾性力を備える必要はない。従って、貴金属めっきを施す接点金具１２ａ〜１２ｃの表面積を縮小することができるので、部品コストを低減することができる。
（２）接点金具１２ａ〜１２ｃを挟み込んで、接点金具１２ａ〜１２ｃの剪断端縁を覆う突条部２１を保持子１５に設けたので、接点金具１２ａ〜１２ｃは剪断端縁を露出させないような形状に成型する必要がない。従って、接点金具１２ａ〜１２ｃの製造工程を簡素化して部品コストを低減することができる。
（３）保持子１５の突条部２１の高さを接点金具１２ａ〜１２ｃの板厚以上としたことにより、接点金具１２ａ〜１２ｃが露出される開口部２９での接点金具１２ａ〜１２ｃの剪断端縁の露出を防止することができる。従って、剪断端縁と、電気かみそり６の接点８ａ〜８ｃや電気かみそり６の使用者の指先等との引っ掛かりを防止することができる。
（４）図１０に示すレバー長Ａがレバー長Ｂより長いので、分力ｄ１，ｄ２の作用により、支軸２５には基台部１０方向への反力が作用する。従って、軸受部３１は支軸２５の図５に示す矢印Ｃ方向と反対方向に開口された形状とすることができるので、軸受部３１の構成を簡素化することができるとともに、保持子１５の押付基台１４への組立てを容易に行うことができる。
（５）接点金具１２ａに半田付けした接続コード１９ａ〜１９ｃを、案内片２４により保持子１５の二股部２３に沿って支軸２５近傍まで案内し、支軸２５近傍から基台部１０の背面に案内するようにした。従って、接続コード１９ａ〜１９ｃの剛性や接続コード１９ａ〜１９ｃに作用する引張り力や押圧力が、保持子１５の回動の妨げとなることを防止することができる。
（６）接点金具１２ａ〜１２ｃの端子部１８を、接点金具１２ａ〜１２ｃの下端縁より上方に位置させたので、基台部１０の開口部２９から洗浄水等が侵入して接点金具１２ａ〜１２ｃに伝い流れる状態となっても、その洗浄水等が端子部１８に滞留することはない。従って、接続コード１９ａ〜１９ｃとの半田付け部分の腐食を防止することができる。
（７）保持部２の裏面に形成されたリブ３５で、接続コード１９ａ〜１９ｃを保持することができるとともに、保持子１５とリブ３５との間と、リブ３５と接続コード１９ａ〜１９ｃの他の固定部との間で接続コード１９ａ〜１９ｃに弛みを持たせた状態で保持することができる。従って、接続コード１９ａ〜１９ｃを含む接点装置１１及び接点装置１１を備えた保持部２の組立作業時において、接続コード１９ａ〜１９ｃの不用意な緊張による接続コード１９ａ〜１９ｃや接点装置１１の損傷を防止することができる。
【００４２】
（課題を解決するための手段に関する付記）
〔付記１〕
開口部を備える基台部と、
前記基台部と結合される押付基台と、
前記基台部と前記押付基台との間に配置され、前記押付基台により支持され、前記押付基台に対して回転可能な保持子と、
前記保持子に取り付けられ、前記開口部から露出する接点金具と、
前記保持子を前記基台部に向けて押す力を前記保持子に与える付勢手段と
を備える小型電気機器の保持装置。
〔付記２〕
前記押付基台は前記付勢手段が配置される凹部を備える
付記１に記載の小型電気機器の保持装置。
〔付記３〕
前記付勢手段と前記保持子との間に配置される付勢部材をさらに備える
付記１または２に記載の小型電気機器の保持装置。
〔付記４〕
電気機器を保持する保持装置であって、前記電気機器に設けられる接点と接触する接点金具を備える小型電気機器の保持装置において、
前記接点金具が保持子に取着され、前記保持子が前記保持装置に支持され、前記保持装置を支点として前記接点金具を前記小型電気機器の接点に向けて付勢する付勢手段を備える
小型電気機器の保持装置。
【符号の説明】
【００４３】
１    ：本体
２    ：保持部
３    ：洗浄剤容器
４    ：洗浄水貯留部
５    ：ポンプ
６    ：電気かみそり（電気機器）
７    ：グリップ
８ａ  ：接点
８ｂ  ：接点
８ｃ  ：接点
９    ：接点軸
１０  ：基台部
１１  ：接点装置
１２ａ：接点金具
１２ｂ：接点金具
１２ｃ：接点金具
１４  ：押付基台
１５  ：保持子
１６  ：接点部
１７  ：返し部
１８  ：端子部
１９ａ：接続コード
１９ｂ：接続コード
１９ｃ：接続コード
２０  ：嵌合部
２１  ：突条部
２２ａ：引掛部
２２ｂ：引掛部
２３  ：二股部
２４  ：案内片
２５  ：支軸
２６  ：当接片
２７  ：付勢部材
２８  ：コイルスプリング（付勢手段）
２９  ：開口部
３０  ：本体検知板
３１  ：軸受部
３２  ：磁石
３３  ：ヨーク
３４  ：金属板
３５  ：リブ（コード保持部）
Ａ    ：レバー長
Ｂ    ：レバー長
ｄ１  ：分力
ｄ２  ：分力
【図１】
0005750580.tif 000002
【図２】
0005750580.tif 000003
【図３】
0005750580.tif 000004
【図４】
0005750580.tif 000005
【図５】
0005750580.tif 000006
【図６】
0005750580.tif 000007
【図７】
0005750580.tif 000008
【図８】
0005750580.tif 000009
【図９】
0005750580.tif 000010
【図１０】
0005750580.tif 000011
【図１１】
0005750580.tif 000012